(57)【要約】【課題】昇降路の全長を長くすることなく、また複雑な装置を必要とせずして、かごの上方にある機器の保守、点検作業を安定した姿勢で行うことができるトランク付エレベーターを得る。【解決手段】この発明に係るトランク付エレベーターは、かご１の後部にトランク２が設けられたトランク付エレベーターであって、かご１が上下動する昇降路Ａの上部で、かつトランク２の周辺には、保守、点検を必要とする制御盤１２等の要保守点検機器が集中的に配置されている。【選択図】図１
2012066921.tif 000002
【特許請求の範囲】
【請求項１】
かごの後部にトランクが設けられたトランク付エレベーターであって、
前記かごが上下動する昇降路の上部で、かつ前記トランクの周辺には、保守、点検を必要とする要保守点検機器が集中的に配置されていることを特徴とするトランク付エレベーター。
【請求項２】
前記かごの上面と前記トランクの上面との間の作業員の移動を補助する移動補助手段を備えたことを特徴とする請求項１に記載のトランク付エレベーター。
【請求項３】
前記かごの上縁部及び前記トランクの上縁部の少なくとも一方に起倒可能に設けられ、前記かごの昇降時には起立し、保守、点検時には倒伏する第１の作業台を備えたことを特徴とする請求項１または２に記載のトランク付エレベーター。
【請求項４】
前記かごの上縁部及び前記トランクの上縁部の少なくとも一方に１８０°回動可能に設けられ、前記かごの昇降時には、かごの内側、トランクの内側に倒伏し、保守、点検時には、かごの外側、トランクの外側に倒伏して前記要保守点検機器に接近する第１の作業台を備えたことを特徴とする請求項１〜３の何れか１項に記載のトランク付エレベーター。
【請求項５】
前記第１の作業台の縁部に回動可能に設けられ、保守、点検時には倒伏して第１の作業台の平面の延長線上に配置されて、前記要保守点検機器に接近する第２の作業台を備えたこと特徴とする請求項３または４に記載のトランク付エレベーター。
【請求項６】
前記トランクの上面には、周囲を囲ったトランク上部手摺が設けられていることを特徴とする請求項１〜５の何れか１項に記載のトランク付エレベーター。
【請求項７】
前記第１の作業台には、周囲を囲った第１の作業台手摺が設けられていることを特徴とする請求項３または４に記載のトランク付エレベーター。
【請求項８】
前記第２の作業台には、周囲を囲った第２の作業台手摺が設けられていることを特徴とする請求項５に記載のトランク付エレベーター。
【発明の詳細な説明】
【技術分野】
【０００１】
この発明は、かごの後部にトランクを設けたトランク付エレベーターに関する。
【背景技術】
【０００２】
従来、エレベーターのかご上の保守、点検作業において、かご上安全手摺に囲まれたかご上面を作業者が移動しながら各機器の保守点検等を行っていたものが知られている（特許文献１参照）。
また、かご上作業面から離れた位置にある機器の保守点検作業用に、かご上の収納位置と作業位置との間に往復動可能な足場板を用いたものが知られている（特許文献２参照）。
【先行技術文献】
【特許文献】
【０００３】
【特許文献１】特開２００４-２１７４０２号公報
【特許文献２】特開平８-１９８５４９号公報
【発明の概要】
【発明が解決しようとする課題】
【０００４】
しかしながら、上記特許文献１のものは、かごの上面で無理な作業を伴う作業員の安全確保のために、かご上安全手摺を天井上部に設ける必要があり、かごの手摺高さの分だけかご最頂部が高くなり、昇降路の全長が長くなるという問題点があった。
また、上記特許文献２のものは、足場板を往復動可能にする複雑な装置を必要とし、また往復動に時間がかかるという問題点があった。
【０００５】
この発明は、上記のような問題点を解決することを課題とするものであって、昇降路の全長を長くすることなく、また複雑な装置を必要とせずして簡単な構成で、かごの上方にある機器の保守、点検作業を安定した姿勢で行うことができるトランク付エレベーターを得ることを目的とする。
【課題を解決するための手段】
【０００６】
この発明に係るトランク付エレベーターは、かごの後部にトランクが設けられたトランク付エレベーターであって、前記かごが上下動する昇降路の上部で、かつ前記トランクの周辺には、保守、点検を必要とする要保守点検機器が集中的に配置されている。
【発明の効果】
【０００７】
この発明に係るトランク付エレベーターによれば、昇降路の上部で、かつトランクの周辺に、保守、点検を必要とする要保守点検機器を集中的に配置したので、昇降路の全長を長くすることなく、また複雑な装置を必要とせずして簡単な構成で、トランク上で要保守点検機器の保守、点検作業を安定した姿勢で行うことができる。
【図面の簡単な説明】
【０００８】
【図１】この発明の実施の形態１のトランク付エレベーターを示す平面図である。
【図２】この発明の実施の形態２のトランク付エレベーターを示す斜視図である。
【図３】図３（ａ）はこの発明の実施の形態３のトランク付エレベーターを示す斜視図、図３（ｂ）は図３（ａ）の第１の作業台の使用態様を示す斜視図である。
【図４】図４（ａ）はこの発明の実施の形態４のトランク付エレベーターを示す斜視図、図４（ｂ）は図４（ａ）の第１の作業台の使用態様を示す斜視図である。
【図５】図５はこの発明の実施の形態５のトランク付エレベーターを示す斜視図である。
【発明を実施するための形態】
【０００９】
以下、この発明の各実施の形態について図に基づいて説明するが、各図において、同一、または相当部材、部位については、同一符号を付して説明する。
【００１０】
実施の形態１．
図１はこの発明の実施の形態１のトランク付エレベーターを示す平面図である。
このトランク付エレベーターは、かご１の後部にトランク２が設けられている。
かご１は、かご吊車１４に巻掛けられた主索（図示せず）で吊り下げられており、昇降路Ａ内をかごレール１５に沿って上下動する。
昇降路Ａの上部であって、トランク２の周辺には、保守、点検を必要とする要保守点検機器が集中的に配置されている。
即ち、巻上機１０、つり合いレール１６に沿って上下動するつり合いおもり１１、かご１の速度制御、運行管理制御等を行う制御盤１２、かご１の乗り過ぎによる事故を防止するために設けられた安全装置である秤装置１３等の要保守点検機器が集中的に配置されている。
トランク２の上面には、トランク２の上面で保守、点検作業をする際の安全を確保するためのトランク上部手摺３が三方を囲って設けられている。
【００１１】
この実施の形態のトランク付エレベーターでは、トランク２の周辺に、保守、点検を必要とする、巻上機１０、制御盤１２等の要保守点検機器が集中的に配置されているので、特別なかご上足場装置を設置することなく、作業者は、トランク２の上面で、安定した姿勢で要保守点検機器の保守、点検作業を行うことができる。
また、トランク２の上面にトランク上部手摺３が設置されているので、保守、点検作業の安全性が向上する。
また、このトランク上部手摺３は、最上部がかご１の上面よりも下位にあるので、昇降路Ａの全長をトランク上部手摺３の設置で増長させる必要性がない。
【００１２】
実施の形態２．
図２はこの発明の実施の形態２のトランク付エレベーターを示す斜視図である。
この実施の形態では、かご１の上面の縁部とトランク２の上面との間に、移動補助手段である梯子４が架けられている。
他の構成は、実施の形態１のトランク付エレベーターと同じである。
【００１３】
この実施の形態では、梯子４を設置したことで、かご１の上面での保守、点検作業がより安定した姿勢で行うことができる場合には、作業者は梯子４を利用してかご１の上面に移動して作業を行えばよく、移動に手間取ることはない。
なお、作業員の移動を補助する移動補助手段として、梯子４以外に、例えばロープを用いてもよい。
【００１４】
実施の形態３．
図３（ａ）はこの発明の実施の形態３のトランク付エレベーターを示す斜視図、図３（ｂ）は図３（ａ）の第１の作業台５の使用態様を示す斜視図である。
この実施の形態では、トランク２の上面の片側縁部に、第１の作業台５が回動可能に設けられている。第１の作業台５の表面には三方を囲んだ第１の作業台手摺６が取付けられている。また、トランク２の上面には、二方を囲んだトランク上部手摺３Ａが取付けられている。
他の構成は、実施の形態１のトランク付エレベーターと同じである。
【００１５】
この実施の形態では、かご１が昇降路Ａ内を上下動するときには、図３（ａ）に示すように、第１の作業台５は起立しており、第１の作業台５の第１の作業台手摺６は、トランク上部手摺３Ａの内側に収まっている。
また、トランク２の上面で、作業者が保守、点検作業を行うときには、第１の作業台５を矢印方向に倒伏することで、図３（ｂ）に示すように、作業者の作業スペースが拡大するので、より安定した姿勢で要保守点検機器の保守、点検作業を行うことができる。
また、第１の作業台５にも第１の作業台手摺６が取付けられているので、第１の作業台５上での保守、点検作業の安全性がより向上する。
【００１６】
なお、かご１の上面の片側縁部にも、第１の作業台手摺６無しの第１の作業台５を回動可能に設けて、安定した姿勢で保守、点検作業を行うことができるスペースを拡大させてもよいし、さらに第１の作業台手摺６を付設することで、かご１上での保守、点検作業の安全性をより向上させてもよい。
また、第１の作業台５については、トランク２、かご１の何れか一方に設けるようにしてもよい。
【００１７】
実施の形態４．
図４（ａ）はこの発明の実施の形態４のトランク付エレベーターを示す斜視図、図４（ｂ）は図４（ａ）の第１の作業台７の使用態様を示す斜視図である。
この実施の形態では、トランク２の上面の片側縁部に、第１の作業台７が１８０°回動可能に設けられている。
この実施の形態のトランク付エレベーターは、他にトランク上部手摺３、梯子４を無い点を除いて、実施の形態１のトランク付エレベーターと同じである。
【００１８】
この実施の形態では、かご１が昇降路Ａ内を上下動するときには、図４（ａ）に示すように、第１の作業台７はトランク２の上面に重ねられている。
また、トランク２の上面で、作業者が保守、点検作業を行うときには、第１の作業台７を矢印方向に１８０°回動することで、図４（ｂ）に示すように、作業者の作業スペースが拡大するので、より安定した姿勢で要保守点検機器の保守、点検作業を行うことができる。
【００１９】
なお、かご１の上面の片側縁部にも、第１の作業台７を１８０°回動可能に設けて、作業者の作業スペースを拡大することで、かご１の上面での安定した姿勢で要保守点検機器の保守、点検作業を行うことができるようにしてもよい。
また、第１の作業台７については、トランク２、かご１の何れか一方に設けるようにしてもよい。
【００２０】
実施の形態５．
図５はこの発明の実施の形態５のトランク付エレベーターを示す斜視図である。
この実施の形態では、第１の作業台５には、二方向を囲った第１の作業台手摺６Ａが取付けられている。また、第１の作業台５の片側縁部にかご側面１ａに沿って９０°回動可能に第２の作業台８が設けられている。第２の作業台８には二方を囲った第２の作業台手摺９が取付けられている。
他の構成は、実施の形態３のトランク付エレベーターと同じである。
【００２１】
この実施の形態では、かご１が昇降路Ａ内を上下動するときには、第１の作業台５は起立しており、第１の作業台５の第１の作業台手摺６Ａは、トランク２の作業台手摺３Ａの内側に収まっており、第２の作業台８の第２の作業台手摺９は、第１の作業台手摺６Ａの内側に収まっている。
そして、トランク２の上面で、作業者が保守、点検作業を行うときには、第１の作業台５をかご側面１ａに対して直角方向に倒伏し、引き続き第２の作業台８をかご側面１ａに沿って倒伏することで、作業者の作業スペースが拡大し、より安定した姿勢で要保守点検機器の保守、点検作業を行うことができる。
また、第１の作業台５に第１の作業台手摺６Ａが取付けられており、第２の作業台８に第２の作業台手摺９が取付けられているので、第１の作業台５上及び第２の作業台８上での保守、点検作業の安全性がより向上する。
【００２２】
なお、かご１の上面の片側縁部にも、トランク２と同様に、第１の作業台５と、この第１の作業台５の縁部に回動可能に設けられ、保守、点検時には倒伏して第１の作業台５の平面の延長線上に配置されて要保守点検機器に接近する第２の作業台８を備えるようにしてもよい。また、それぞれに第１の作業台手摺６Ａ、第２の作業台手摺９を取付けるようにしてもよい。
また、第１の作業台５、第２の作業台８、第１の作業台手摺６Ａ及び第２の作業台手摺９については、トランク２、かご１の何れか一方に設けるようにしてもよい。
【符号の説明】
【００２３】
１  かご、１ａ  かご側面、２  トランク、３，３Ａ  トランク上部手摺、４  梯子（移動補助手段）、５，７  第１の作業台、８  第２の作業台、６，６Ａ  第１の作業台手摺、９  第２の作業台手摺、１０  巻上機、１１  つり合いおもり、１２  制御盤、１３  秤装置、１４  かご吊車、１５  かごレール、１６  つり合いおもりレール、Ａ  昇降路。
【図１】
2012066921.tif 000003
【図２】
2012066921.tif 000004
【図３】
2012066921.tif 000005
【図４】
2012066921.tif 000006
【図５】
2012066921.tif 000007